(57)【特許請求の範囲】
【請求項１】
錠前の施解錠に必要なＩＤ情報が記憶されたＩＤキーを用い、該ＩＤキーから取得したＩＤ情報の認証結果に基づいて前記錠前を電気的に施解錠制御する電気錠装置を備えた電気錠システムにおいて、
前記ＩＤキーから取得した前記ＩＤ情報の正当性を判別する処理と、
前記正当性を判別する処理において前記ＩＤ情報が正常であると判別されたときに前記ＩＤ情報を新たなＩＤ情報に変換する処理と、
前記ＩＤ情報を新たなＩＤ情報に変換する処理において変換された前記新たなＩＤ情報を前記ＩＤキーに書き込む処理と、
前記ＩＤキーに書き込む処理において前記ＩＤキーに前記新たなＩＤ情報が書き込まれたと判別したときに前記ＩＤキーから前記書き込んだ新たなＩＤ情報を読み込んでその正当性を判別する処理と、
前記ＩＤキーから読み込んだ前記新たなＩＤ情報の正当性を判別する処理において前記ＩＤ情報が正常であると判別したときに前記錠前を施錠または解錠制御する処理と、
を実行する制御処理部を備えたことを特徴とする電気錠システム。
【発明の詳細な説明】
【技術分野】
【０００１】
本発明は、ＩＤキーから取得したＩＤ情報の正当性に基づいて電気錠を施解錠制御する電気錠システムに係り、特にＩＤキーの盗難やＩＤ情報のスキミングによる不正な施解錠操作を防止する電気錠システムに関するものである。
【背景技術】
【０００２】
従来より、各種扉の錠前部分には、不審者の侵入を回避するため、防犯性に富んだ電気錠システムが採用されている。この種の電気錠システムでは、特定の施解錠信号により、例えばモータやソレノイドなどの駆動手段を駆動し、デッドボルトを扉枠のストライクの係止穴に対して進退させることで電気錠を施解錠している。
【０００３】
ところで、近年では、更なるセキュリティの向上や操作性の向上を目的として、通常の鍵穴挿入式の金属製の鍵に代わり、例えばリモコンキーや非接触式ＩＤカードなどのＩＤキーを用いた電気錠システムが提案されている。この種の電気錠システムでは、予め施解錠用のＩＤコードをＩＤキーに記憶させておき、電気錠の施解錠時にＩＤキーからＩＤコードを読み取り、読み取ったＩＤコードを正常認証したときのみ電気錠を施解錠制御している。なお、この種の電気錠システムとしては、例えば下記特許文献１に開示されるものが知られている。
【０００４】
図３は下記特許文献１に開示される電気錠システムの概略構成を示している。この電気錠システムは、図３に示すように、送信アンテナと受信アンテナとを設けた送受信機と、この送受信機とシリンダ錠とを備えると共に施解錠する者の意志による操作で施解錠することができるタッチスイッチ１０１を設けた外側錠部１０２とがドア１０３の外面に配設されている。また、ドア１０３の内面には、送信アンテナと受信アンテナとを設けた送受信機と、施解錠機構の電動駆動部を設けたサムタ−ン装置とを備えると共にタッチスイッチ１０４を設けた内側錠部１０５とが配設されている。この施解錠装置では、携帯機１０６からのレスポンスコ−ド信号の受信にしたがってコントロ−ラ１０７が施解錠の準備モ−ドに移行し、この準備モ−ドにおいてタッチスイッチ１０１または１０４を操作することにより、施錠又は解錠が実行される構成となっている。
【特許文献１】特開２００３−３４３１２９号公報
【発明の開示】
【発明が解決しようとする課題】
【０００５】
このように、上述した特許文献１を含む従来の電気錠システムでは、ＩＤキーから送信される固定のＩＤ情報を受信し、このＩＤ情報を正常認証したときのみ電気錠の施解錠制御を行っている。しかしながら、このＩＤキーが盗難にあったり、ＩＤキーのＩＤ情報がスキミングされてしまうと、これらを悪用されることで電気錠が不正に解錠されてしまうという問題があった。
【０００６】
ところで、固定のＩＤ情報に代わり、電気錠を施錠する度にＩＤ情報のコードを変更するローリングコード方式を採用した電気錠システムも知られている。しかし、このローリングコード方式の電気錠システムであっても、ＩＤ情報をスキミングされてから正当なＩＤキーで施解操作されるまでの間はスキミングされたＩＤ情報で不正に解錠されてしまうという問題があった。
【０００７】
そこで、本発明は上記問題点に鑑みてなされたものであり、ＩＤキーの盗難やＩＤ情報のスキミングによる不正な施解錠を防止して防犯性の向上を図ることができる電気錠システムを提供することを目的とするものである。
【課題を解決するための手段】
【０００８】
上記した目的を達成するために、請求項１記載の電気錠システムは、錠前の施解錠に必要なＩＤ情報が記憶されたＩＤキーを用い、該ＩＤキーから取得したＩＤ情報の認証結果に基づいて前記錠前を電気的に施解錠制御する電気錠装置を備えた電気錠システムにおいて、
前記ＩＤキーから取得した前記ＩＤ情報の正当性を判別する処理と、
前記正当性を判別する処理において前記ＩＤ情報が正常であると判別されたときに前記ＩＤ情報を新たなＩＤ情報に変換する処理と、
前記ＩＤ情報を新たなＩＤ情報に変換する処理において変換された前記新たなＩＤ情報を前記ＩＤキーに書き込む処理と、
前記ＩＤキーに書き込む処理において前記ＩＤキーに前記新たなＩＤ情報が書き込まれたと判別したときに前記ＩＤキーから前記書き込んだ新たなＩＤ情報を読み込んでその正当性を判別する処理と、
前記ＩＤキーから読み込んだ前記新たなＩＤ情報の正当性を判別する処理において前記ＩＤ情報が正常であると判別したときに前記錠前を施錠または解錠制御する処理と、
を実行する制御処理部を備えたことを特徴とする。
【発明の効果】
【０００９】
本発明の電気錠システムによれば、読み取ったＩＤ情報に基づいて変換された新たなＩＤ情報がＩＤキーに正常に書き込まれたと判断された場合にのみ施解錠制御されるため、ＩＤキーが盗難にあった場合や施解錠時に認証する認証用ＩＤがスキミングされてしまった場合であっても、不正に施解錠されることなく、セキュリティ性を向上させることができる。
【発明を実施するための最良の形態】
【００１０】
以下、本発明を実施するための最良の形態について、添付した図面を参照しながら詳細に説明する。図１は本発明に係る電気錠システムの概略構成図、図２は同システムの動作フローチャートである。
【００１１】
まず、図１を参照しながら、本例の電気錠システムの構成について説明する。本例の電気錠システム１は、ＩＤキー１０と、電気錠装置２０とで概略構成される。以下、各構成について詳細に説明する。
【００１２】
ＩＤキー１０は、例えばカード状記憶媒体、リモコンキー、携帯電話などで構成され、施解錠時に、正当なＩＤキー１０であるか否かを認証するためのＩＤ情報（例えば部屋番号、機器番号などの機器情報や暗証情報など）のリード／ライトが可能な記憶領域を備えている。このＩＤキー１０のＩＤ情報は、施解錠時に、利用者によって施解錠操作されることにより電気錠装置２０に取得される。また、ＩＤキー１０のＩＤ情報は、施解錠操作（施錠操作または解錠操作）する度に、電気錠装置２０によって変換された新たなＩＤ情報に書き換えられる。
【００１３】
電気錠装置２０は、各種扉の所定箇所に設けられ、ＩＤキー１０からの施解錠情報（ＩＤ情報を含む）を正常認証したときに現在の錠前及び扉の状態に応じて錠前を電気的に施解錠制御するものである。この電気錠装置２０は、図１に示すように、情報読書部２１、記憶部２２、制御処理部２３、報知部２４、施解錠機構２５、電源部２６を備えて構成される。
【００１４】
情報読書部２１は、制御処理部２３の制御によりＩＤキー１０との間で非接触通信により情報の読み書きを行うリード／ライト機能を備えている。この情報読書部２１では、ＩＤキー１０が所定範囲（ＩＤキー１０との間で非接触通信可能な範囲）内で所定操作（例えばＩＤキー１０を情報読書部２１の読書部にかざす操作）されたときに、ＩＤキー１０のＩＤ情報を非接触で読み取り、この読み取ったＩＤ情報を制御処理部２３に出力している。
【００１５】
また、情報読書部２１は、現在使用されたＩＤ情報を変換した新たなＩＤ情報が制御処理部２３から入力すると、この新たなＩＤ情報をＩＤキー１０に書き込み、書き込みが完了すると、書き込みが完了したことを示す書込完了信号を制御処理部２３に出力している。
【００１６】
さらに、情報読書部２１は、新たなＩＤ情報の書き込みが正常にされたか否かを確認するため、再度ＩＤキー１０に対してＩＤ情報の読み取りを行い、この読み取ったＩＤ情報を制御処理部２３に出力している。
【００１７】
記憶部２２は、例えば磁気的、光学的記憶媒体若しくはＲＯＭ、ＲＡＭなどの半導体メモリで構成される。この記憶部２２は、ＩＤキー１０毎に割り当てられるＩＤ情報が正当であるか否かを判別するための認証用ＩＤ情報、モニタ情報としての状態信号（扉の開閉状態信号や錠前の施解錠状態信号）などの錠前の施解錠制御に関する各種データを記憶している。
【００１８】
また、記憶部２２は、制御処理部２３の制御により、情報読書部２１によってＩＤキー１０からＩＤ情報を読み取った際に、この読み取ったＩＤ情報を変換した新たなＩＤ情報を次回施解錠操作された際の認証用ＩＤ情報として更新記憶している。
【００１９】
制御処理部２３は、例えばＣＰＵやＲＯＭ、ＲＡＭなどのマイクロコンピュータで構成され、ＩＤキー１０から読み取ったＩＤ情報に基づく施解錠制御の他、錠前の解錠（又は施解錠）制御時に施解錠機構２５を駆動させるための駆動制御信号の出力、電源部２６から駆動機構２４への電源供給のＯＮ／ＯＦＦ制御、錠前からモニタ情報として入力される状態信号（例えば扉の開閉状態信号、錠前の施解錠状態信号）の判別処理等の様々な処理制御をしている。
【００２０】
ここで、制御処理部２３による施解錠制御について詳細に説明する。制御処理部２３は、施解錠操作時にＩＤキー１０から取得したＩＤ情報と、記憶部２２に記憶された認証用のＩＤ情報とを照合してＩＤキー１０から取得したＩＤ情報の正当性を判別している。制御処理部２３は、ＩＤキー１０から取得したＩＤ情報を正常認証しない場合、使用されたＩＤキー１０が正当なＩＤキー１０でないと判断し、報知部２４にＩＤキー異常信号を出力している。これに対し、ＩＤキー１０から取得したＩＤ情報を正常に認証した場合は、この読み取ったＩＤ情報を新たなＩＤ情報に変換し、情報読書部２１に出力している。
【００２１】
そして、制御処理部２３は、情報読書部２１によってＩＤキー１０に新たなＩＤ情報が書き込まれ、情報読書部２１から書込完了信号が入力したときに、新たなＩＤ情報がＩＤキー１０に正常に書き込まれたか否かを確認するための再読取制御信号を情報読書部２１に出力している。
【００２２】
制御処理部２３は、再読取制御信号によって情報読書部２１がＩＤキー１０から取得したＩＤ情報と、制御処理部２３が出力した新たなＩＤ情報とを照合し、新たなＩＤ情報がＩＤキー１０に正常に書き込まれたか否かを判別している。そして、正常に書き込まれたと判別したときのみ、現在の錠前や扉の状態に応じて錠前を施解錠制御するとともに、この新たなＩＤ情報を次回の認証用ＩＤ情報として記憶部２２に出力している。
【００２３】
なお、ＩＤキー１０に新たなＩＤ情報の書き込みができなかった場合、制御処理部２３は、使用されたＩＤキー１０に何らかの異常があるか或いはスキミングによって不正に使用された読出専用の不正ＩＤキーであると判断し、報知部２４にＩＤキー異常信号を出力している。
【００２４】
また、ＩＤキー１０からのＩＤ情報が正常でないと判別した場合、制御処理部２３は、使用されたＩＤキー１０にＩＤ情報が正常に書き込まれていないと判断し、報知部２４に書込異常信号を出力している。
【００２５】
報知部２４は、ブザーなどの鳴動装置やＬＥＤ、液晶などの表示機器で構成される。報知部２４は、ＩＤキー１０を用いて施解錠操作が行われた際に、制御処理部２３からＩＤキー異常信号又は書込異常信号が入力すると、鳴動装置を鳴動させたり表示機器を所定表示させ、利用者に対して、正当なＩＤキー１０でない旨やＩＤキー１０に正常にＩＤ情報が書き込まれていない旨を報知して、再度正常な施解錠操作を行うよう促している。
【００２６】
施解錠機構２５は、例えばモータやソレノイド等の駆動装置と錠前で構成され、制御処理部２３から入力される駆動制御信号により錠前を施錠または解錠するべく駆動し、扉枠の係止穴に対してデッドボルトを突出（施錠時）又は引き込む（解錠時）ことにより錠前が施解錠される。
【００２７】
電源部２６は、商用電源（ＡＣ１００Ｖ）を外部電源として電源の供給を受け、各部に駆動電源を供給している。なお、電源部２６は、扉の所定箇所に着脱交換可能に設けられる扉内電池ユニットで構成することもできる。
【００２８】
次に、図２を参照しながら、上述した電気錠システム１の処理動作について具体的に説明する。ここでは、本例の電気錠システム１を一般住宅の玄関扉に配設し、ＩＤキー１０として非接触型ＩＣカードを使用し、住人が帰宅した際にＩＤキー１０を用いて玄関扉を解錠する場合を例にとって説明する。なお、ＩＤキー１０を用いて玄関扉を施錠する場合にも同様の手法によって行われる。
【００２９】
まず、住人は、帰宅した際に、所有するＩＤキー１０を情報読書部２１の所定範囲内に近接させながらかざして解錠操作を行い（ＳＴ１）、電気錠装置２０にＩＤキー１０のＩＤ情報を読み取らせる（ＳＴ２）。電気錠装置２０は、ＩＤキー１０から読み取ったＩＤ情報と記憶部２２に記憶された認証用ＩＤ情報とを照合し、ＩＤキー１０から読み取ったＩＤ情報が正常か否かを判別する（ＳＴ３）。
【００３０】
そして、電気錠装置２０は、ＩＤ情報が正常と判別すると（ＳＴ３−Ｙｅｓ）、この読み取ったＩＤ情報を新たなＩＤ情報に変換し（ＳＴ４）、新たなＩＤ情報がＩＤキー１０に書き込み可能であるか否かを判別する（ＳＴ５）。
【００３１】
一方、電気錠装置２０は、ＩＤ情報が正常でないと判別すると（ＳＴ３−Ｎｏ）、そのときに使用されたＩＤキー１０が正当なＩＤキー１０でないと判断し、解錠処理を行わずにその旨を報知して（ＳＴ６）、処理を終了する。
【００３２】
次に、電気錠装置２０は、ＳＴ５において、新たなＩＤ情報がＩＤキー１０に書き込み可能であると判別すると（ＳＴ５−Ｙｅｓ）、ＩＤキー１０に新たなＩＤ情報を書き込み（ＳＴ７）、ＩＤキー１０に新たなＩＤ情報が正常に書き込まれたか否かを確認するため、再度ＩＤキー１０からＩＤ情報を読み取る（ＳＴ８）。
【００３３】
一方、電気錠装置２０は、新たなＩＤ情報がＩＤキー１０に書き込みが可能でないと判別すると（ＳＴ５−Ｎｏ）、そのときに使用されたＩＤキー１０に何らかの異常があるか或いはスキミングによって不正に使用された読出専用の不正ＩＤキーであると判断し、解錠処理を行わずに異常をその旨を報知して（ＳＴ９）、処理を終了する。
【００３４】
次に、電気錠装置２０は、ＩＤキー１０から再度ＩＤ情報を読み取り（ＳＴ８）、この読み取ったＩＤ情報が制御処理部２３から出力した新たなＩＤ情報であるか否かを判別するため、ＩＤキー１０から取得したＩＤ情報が正常か否かを判別する（ＳＴ１０）。
【００３５】
そして、電気錠装置２０は、照合した結果、ＩＤキー１０からのＩＤ情報が新たなＩＤ情報であって正常と判別すると（ＳＴ１０−Ｙｅｓ）、ＩＤキー１０に対してＩＤ情報が正常に書き込まれたと判断し、このＩＤ情報を次回の認証用ＩＤ情報として記憶部２２に出力して保存し（ＳＴ１１）、現在の錠前が施錠状態で扉が閉状態であることを認識した上で錠前を解錠制御する（ＳＴ１２）。
【００３６】
一方、電気錠装置２０は、ＩＤキー１０からのＩＤ情報が新たなＩＤ情報と異なり正常でないと判別すると（ＳＴ１０−Ｎｏ）、ＩＤキー１０にＩＤ情報が正常に書き込まれておらず、使用されたＩＤキー１０に何らかの異常があるか或いは施解錠操作が正常に行われていないと判断し、解錠処理を行わずに異常を報知して（ＳＴ１３）、処理を終了する。
【００３７】
このように、上述した電気錠システムは、施解錠操作時にＩＤキー１０に記憶されたＩＤ情報を読み取ってその正当性を判別し、正常であると認証したときに、このＩＤ情報を新たなＩＤ情報に変換する。そして、この変換した新たなＩＤ情報をＩＤキー１０に書き込み、再度ＩＤキー１０から読み込んで正常に書き込まれたことを確認した場合のみ、現在の錠前や扉の状態に応じて錠前を施解錠制御している。これにより、ＩＤキー１０が盗難にあった場合であっても、ＩＤ情報が施解錠時に常に変換されているため、不正に施解錠されることなく、セキュリティ性の高い電気錠システムを提供することができる。
【００３８】
また、施解錠時に認証するＩＤ情報がスキミングされてしまった場合であっても、読み取ったＩＤ情報に基づいて変換された新たなＩＤ情報がＩＤキー１０に正常に書き込まれたと判断された場合にのみ施解錠制御されるため、通常スキミングで使用される読出専用の不正ＩＤキーでは不正に施解錠されることがなく、さらにセキュリティ性を向上させる効果を奏する。
【００３９】
ところで、上述した形態では、スキミングで使用される読出専用の不正ＩＤキーの判別を、新たなＩＤ情報の書き込みが可能か否かで判別（ＳＴ５の処理動作）しているが、例えば情報読書部２１から新たなＩＤ情報の書き込みを行い、ＩＤキー１０のＩＤ情報が書き換わっていることを前提としてＩＤ情報の照合（ＳＴ１０の処理動作）を行うことで、正常のＩＤキー１０か読出専用の不正ＩＤキーであるかを判別することも可能である。
【００４０】
また、上述した形態では、ＩＤキー１０に新たなＩＤ情報が正常に書き込まれていない場合に、そのときに使用されたＩＤキー１０に何らかの異常があるか或いは施解錠操作が正常に行われていないと判断し、解錠処理を行わずに異常を報知して、処理を終了するものとしたが、ＩＤキー１０に対する新たなＩＤ情報の書き込みを所定回数（例えば３回）繰り返して実行し、所定回数書き込みを行っても書き込めない場合にＩＤキー１０に異常がある旨を報知して処理を終了しても良い。
【００４１】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００４２】
【図１】本発明に係る電気錠システムの概略構成図である。
【図２】本発明に係る電気錠システムの動作フローチャートである。
【図３】従来の電気錠システムの一例を示す概略斜視図である。
【符号の説明】
【００４３】
１  電気錠システム
１０  ＩＤキー
２０  電気錠装置
２１  情報読書部
２２  記憶部
２３  制御処理部
２４  施解錠機構
２５  報知部
２６  電源部
【図１】
0005107659.tif 000002
【図２】
0005107659.tif 000003
【図３】
0005107659.tif 000004